(57)【特許請求の範囲】
【請求項１】
ボルトとナットで締め付けて支持線を下端部の係合溝に係合させて挟持する一対の挟持片と、一方の該挟持片の外側に前記ボルトを貫通させて該一方の挟持片とで螺旋状ケーブルハンガーを挟持する締付け片を備え、該締付け片の上端に、前記一方の挟持片と重なるＬ字形の切欠を設け、この切欠に前記螺旋状ケーブルハンガーを係合して、前記締付け片と前記一方の挟持片との間に介在させるようにした、螺旋状ケーブルハンガーの支持線固定具。
【発明の詳細な説明】
【技術分野】
【０００１】
本発明は、ケーブルを支持するために電柱間に架設した支持線（所謂メッセンジャーワイヤーや自己支持型ケーブル）に巻き付けた螺旋状ケーブルハンガー（螺旋状態様の杆体で成る）の安定的な架設状態の維持を目的として、概し、その端部を前記支持線に固定するために用いる螺旋状ケーブルハンガーの支持線固定金具に関するものである。
【背景技術】
【０００２】
一対の挟持片で構成し、該挟持片の対向面側に設けた係合溝の一方に支持線を、他の一方の螺旋状ケーブルハンガーをそれぞれ係合し、前期の挟持片をボルトとナットによって締付けるようにした構造のものがある（例えば、特許文献１）。
【０００３】
【特許文献１】特許第３１８１８８３号公報
【発明の開示】
【発明が解決しようとする課題】
【０００４】
前記の従来例は、互いに交叉方向に位置するハンガーと支持線を一対の挟持片で挟持するようにして螺旋状ケーブルハンガーを支持線に固定する構成を採るので、支持線部とケーブル部とで成る、だるま型の自己支持型ケーブルの支持線部に対するハンガーの固定手段としては不適当で、当該自己支持型ケーブルに螺旋状ケーブルハンガーを固定するには別途金具を用意しなければならない。
【０００５】
本発明は、自己支持型ケーブルに巻回支持させた螺旋状ケーブルハンガーを当該自己支持型ケーブル（の支持線部）に固定するに好適な、ケーブル用スパイラルハンガーの支持線固定金具を提供することを目的として創案したものである。
【課題を解決するための手段】
【０００６】
ボルトとナットで締め付けて支持線を下端部の係合溝に係合させて挟持する一対の挟持片と、一方の該挟持片の外側に前記ボルトを貫通させて該一方の挟持片とで螺旋状ケーブルハンガーを挟持する締付け片を備え、該締付け片の上端に、前記一方の挟持片と重なるＬ字形の切欠を設け、この切欠に前記螺旋状ケーブルハンガーを係合して、前記締付け片と前記一方の挟持片との間に介在させるようにした、ものである。
【発明の効果】
【０００７】
本発明によれば、一対の挟持片によって支持線を挟持させて該支持線に取付けるものであるから、自己支持型ケーブルを構成する支持線に対しても不都合なく取付けられ、しかも、構成上、単一なボルトとナットで締付ければ足りるから構造が簡単で、安価な製品を提供できる。
【実施例】
【０００８】
図面は本発明に係る、螺旋状ケーブルハンガーの支持線固定金具の一実施例を示し、図１は使用状態を示す正面図、図２は図１の一部拡大図、図３は図２の一部欠截平面図、図４は図３の側面図、図５は固定具の平面図、図６は固定具の平面図である。
【０００９】
本発明に係る、螺旋状ケーブルハンガーの支持線固定金具Ａは、第一、第二一対の挟持片１，２と締付け片３をボルト４とこれに螺合するナット５によって締め付けて支持線Ｃａを挟持させるようにして該支持線Ｃａに取付ける一方、螺旋状ケーブルハンガーｈを前記第一挟持片１と締付け片３とで挟持させるようにして前記スパイラルハンガーｈ（概し、末端部）を前記支持線Ｃａに固定するために用いるものである。
【００１０】
第一挟持片１は、方形板状の主体部片１ａと該主体部片１ａの上端をほぼ直角に屈曲して連設した突き当て部片１ｂとで成るＬ形枠体で構成し、主体部片１ａの中央に前記ボルト４を貫通させる透孔６を設けると共に、主体部片１ａの下端部の前記突き当て部片１ｂ側の片面に前記支持線Ｃａの係合溝７を設けて構成したものである.
前記第二挟持片２は、第一挟持片１の前記主体部片１ａとほぼ同大の方形板状の主体部片２ａと該主体部片２ａの一側端の上部側をほぼへの字状に屈曲して突設した挟持部片２ｂとで成り、前記一側端に対応する、主体部片２ａの他の一側端中央に係止切欠１０を設け、また、主体部片２ａの中央には第一挟持片１側の前記透孔６と対応させて前記ボルト４を貫通させる透孔８を設けると共に、主体部片１ａの下端部の片面に第一挟持片１側の前記係合溝７と相対向して前記支持線Ｃａを係合する係合溝９を設けて構成したものである。
【００１１】
前記締付け片３は、主体部片３ａと該主体部片３ａの下端をほぼ直角に屈曲して連設した補強部片３ｂとで成るＬ形枠体で成り、主体部片３ａの上端にややＬ字形の切欠１２を設けて該主体部片３ａを、方形板状の主体部３ａ´と該主体部３ａ´の一側端より鉤状にして突出する締付け部３ａ´´とで構成せしめ、主体部３ａ´の中央に前記各透孔６，８に対応する角孔１４を設ける一方、主体部片３ａの前記一側端に対応する他の一側端中央に、前記係止切欠１０に係止する突子１５を設け、前記締付け部３ａ´´側の、一側を全体としてへの字形に折り曲げて前記第二挟持片２に隣接させて重ね合わせて用いるようにしたものである。
【００１２】
そして、第一、第二の挟持片１，２を相対向させ、第二挟持片２の外側に締付け片３を重ね合わせ、これらに設けた透孔６，８又は角孔１４のそれぞれに角孔１４側（締付け片３側）からボルト４を貫通させ、透孔６より突出するボルト４先端にナット５を螺合させて各片１、２、３を互いに組合わせ、この組合わせた状態で、挟持片１，２を、係合溝７，９に支持線Ｃａを係合させるようにして支持線Ｃａに組合わせ、かつ、支持線Ｃａに支持させた螺旋状ケーブルハンガーｈを締付け片３の切欠１２を通じて挟持部片２ｂと締付け部３ａ´´との間に介在させるようにして前記のナット５を締め付けると（このとき、締付け片３側の突子１５が第二挟持片２側の係止切欠１０に嵌合係止して、当該締付け荷重による締付け片３の横ずれを防止する）、実施例の支持線固定金具Ａは、支持線Ｃａを第一、第二の挟持片１，２で挟持するようにして該支持線Ｃａに取付けられ、かつ、第二挟持片２（の挟持部片２ｂ）と締付け片３（の締付け部３ａ´´）とで螺旋状ケーブルハンガーｈを挟持して該ハンガーｈを前記支持線Ｃａに固定させるのである。
【００１３】
なお、図示は、自己支持型（だるま型）ケーブルＣをケーブル部Ｃｂとで構成する支持線Ｃａ部にスパイラルハンガーｈを固定した使用例を示すが、専らケーブルを支持するための支持線（メッセンジャーワイヤー）に対するハンガーｈの固定に際しても、この固定金具Ａは適用できる。
【００１４】
また、ボルト４は所謂角根ボルトを用い角根部が角孔１４に係合してナット５との共廻りが阻止される。
【図面の簡単な説明】
【００１５】
【図１】使用状態を示す正面図。
【図２】図１の一部拡大図。
【図３】図２の一部欠截平面図。
【図４】図３の側面図。
【図５】固定具の平面図。
【図６】固定具の平面図。
【符号の説明】
【００１６】
１，２      挟持片
３          締付け片
４          ボルト
５          ナット
１２        切欠
Ｃａ        支持線
ｈ          螺旋状ケーブルハンガー
【図１】
0004837447.tif 000002
【図２】
0004837447.tif 000003
【図３】
0004837447.tif 000004
【図４】
0004837447.tif 000005
【図５】
0004837447.tif 000006
【図６】
0004837447.tif 000007